(57)【特許請求の範囲】
【請求項１】
光源を保持する器具本体と、
前記器具本体に取り付けられ、両端部が器具本体の天板部に略平行となるように折り曲げ形成された折曲端縁部が設けられた中反射板と、
前記中反射板に取り付けられるルーバと、
前記器具本体に配策される電線とを備え、
前記器具本体と前記中反射板の前記折曲端縁部との間に突起を備え、
前記突起の高さ寸法は前記電線の直径寸法よりも大きく、前記突起は前記器具本体の長手方向に沿って切断した場合の垂直断面形状、または、前記器具本体の長手方向に直交する方向に沿って切断した場合の垂直断面形状の少なくともいずれか一方が凸な曲面状である照明器具。
【請求項２】
請求項１に記載の照明器具において、
前記突起は、前記器具本体の長手方向に沿う長さよりも、前記器具本体の幅方向に沿う長さの方が長い照明器具。
【発明の詳細な説明】
【技術分野】
【０００１】
本発明は、例えば住宅等の天井施工面に直接取り付けられる照明器具に関し、特にルーバを備えた照明器具に関する。
【背景技術】
【０００２】
従来より器具本体の下面側に、断面視Ｖ字形状の中反射板を取り付けた照明器具が知られている（例えば、特許文献１参照）。
【先行技術文献】
【特許文献】
【０００３】
【特許文献１】特開平１１−３３９５４０号公報（図１、段落番号０００５）
【発明の概要】
【発明が解決しようとする課題】
【０００４】
ところが、図９（Ａ）に示すように、前述した特許文献１に記載された照明器具１００においては、中反射板１０１が器具本体１０２に有する不図示の中反射板取付バネにより、そのＶ字形状を拡げるように弾性変形されて器具本体１０２に保持されている。そのため、図９（Ｂ）に示すように、照明器具１００の施工時、特に、中反射板１０１の器具本体１０２への取付時に、器具本体１０２の下面に配策されている器具内配線１０３の上下に中反射板１０１の端縁部１０４と器具本体１０２とが配置されることがある。これにより、器具内配線１０３を中反射板１０１の端縁部１０４と器具本体１０２とにより挟み込んで中反射板１０１が器具本体１０２の長手方向および長手方向に直交する幅方向に対して傾いて取り付けられる。
従って、前述した特許文献１に記載された照明器具１００においては、中反射板１０１が器具本体１０２に対して傾いて取り付けられることにより美観が良好ではなくなる。
【０００５】
本発明は、前述した課題を解決するためになされたものであり、その目的は、美観を向上できる照明器具を提供することにある。
【課題を解決するための手段】
【０００６】
本発明に係る照明器具は、光源を保持する器具本体と、器具本体に取り付けられ、両端部が器具本体の天板部に略平行となるように折り曲げ形成された折曲端縁部が設けられた中反射板と、中反射板に取り付けられるルーバと、器具本体に配策される電線とを備え、器具本体と中反射板の折曲端縁部との間に突起を備え、突起の高さ寸法は電線の直径寸法よりも大きく、突起は器具本体の長手方向に沿って切断した場合の垂直断面形状、または、器具本体の長手方向に直交する方向に沿って切断した場合の垂直断面形状の少なくともいずれか一方が凸な曲面状である。
【０００７】
本発明に係る照明器具は、突起は、器具本体の長手方向に沿う長さよりも、器具本体の幅方向に沿う長さの方が長い。
【発明の効果】
【０００９】
本発明の照明器具によれば、美観を向上できるという効果を奏する。
【図面の簡単な説明】
【００１０】
【図１】本発明に係る一実施形態の照明器具の斜め下方から視た外観斜視図
【図２】図１の照明器具の分解斜視図
【図３】図１の照明器具における器具本体の一部破断底面図
【図４】図１の照明器具における突起の斜め下方から視た外観斜視図
【図５】図１の照明器具の作用を説明する中反射板周りの一部破断垂直断面図
【図６】図１の照明器具の突起のＸ方向での器具内配線との関係を説明する側面図
【図７】図１の照明器具の作用を説明する中反射板周りの一部破断側面図
【図８】図１の照明器具の突起のＹ方向での器具内配線との関係を説明する側面図
【図９】（Ａ）は従来の照明器具の中反射板の器具本体への取付時の垂直断面図、（Ｂ）は従来の照明器具の中反射板の器具本体との間に器具内配線を挟み込んだ状態の垂直断面図
【発明を実施するための形態】
【００１１】
以下、本発明の一実施形態に係る照明器具について図面を参照して説明する。
本発明の一実施形態である照明器具１０は、器具本体１１と、光源である一対の直管型の蛍光ランプ１２と、複数のルーバ１３と、中反射板１４と、一対の仮吊紐１５とを備えて、天井施工面１に直接取り付けられる。
【００１２】
図１、図２に示すように、器具本体１１は、比較的薄い金属製板部材をプレス加工等することにより成形されており、天板１６と、器具本体１１の長手方向に対向配置された一対の端板１７と、器具本体１１の長手方向に直交する幅方向に対向配置された一対の側板１８とを有して下方を開放している。器具本体１１には、天板１６の下面において長手方向および長手方向に直交する幅方向の中央部に、安定器１９と、電源端子台２０とが取り付けられている。器具本体１１には、安定器１９および電源端子台２０における器具本体１１の長手方向の外側に一対の中反射板取付バネ２１がそれぞれ取り付けられている。器具本体１１には、天板１６の下面において幅方向の中央部の長手方向に一対の取付ボルト孔２２と、同じく長手方向の端板１７寄りに一対の仮吊紐引掛部２３とが設けられており、電源端子台２０の近傍に単一の電源線挿通孔２４が設けられている。
【００１３】
器具本体１１の取付ボルト孔２２には、天井施工面１から床面に向けて突出されている一対の取付ボルト２が挿通される。そして、これら取付ボルト２に座金２５を介してナット２６がそれぞれネジ込まれることにより、器具本体１１が天井施工面１に接して組み付けられる。仮吊紐引掛部２３は、天板１６を切り起し成形することにより、下方に向けてＶ字の板形状に突出形成されている。
【００１４】
電源線挿通孔２４には、天井施工面１側から電源線３が引き込まれる。電源線３は、不図示の制御回路を通じて商用電源に接続されており、電源端子台２０に電気的に接続される。電源端子台２０からは安定器１９を通じてランプソケット２７へ器具内配線（図５参照）２８が配策されて電気的に接続される。
【００１５】
中反射板取付バネ２１は、器具本体１１の天板１６から下方に向けてハ字形状に突出して配置されている。中反射板取付バネ２１は、中反射板１４に形成されている二対の係止孔２９に挿入された際にハ字形状部分が拡がるように弾性変形され、その後にハ字形状部分に蓄積された弾性復元力により中反射板１４を器具本体１１の天板１６に向けて押圧するように保持する。器具本体１１には、それぞれの端板１７の内側に二対のランプソケット２７が対向して取り付けられている。ルーバ１３は、器具本体１１と同様の比較的薄い金属製板部材を用いて羽根形状に形成されている。ルーバ１３は、器具本体１１の両側板１８が形成する間隔寸法よりも小さい幅寸法を有し、中央部が大きく両側部が小さいものとして予め定められた高さ寸法を有する。
【００１６】
中反射板１４は、ルーバ１３と同様の比較的薄い金属製板部材を用いてＶ字形状に形成されている。中反射板１４は、器具本体１１の両端板１７が形成する間隔寸法よりも小さい長さ寸法を有する中反射板本体３０を有し、この中反射板本体３０の両端部寄りに中反射板取付バネ２１が係止される一対の係止孔２９が形成されている。中反射板１４は、中反射板本体３０の両端縁に、鋭角に折り曲げ成形された折曲端縁部３１を有する。
【００１７】
中反射板１４は、両外部に一対の副反射板３２をそれぞれ備える。中反射板１４は中反射板本体３０の内側に空間部３３を有する。そのため、中反射板１４は、中反射板取付バネ２１を介して器具本体１１に取り付けられることにより、安定器１９、電源端子台２０、取付ボルト２、座金２５およびナット２６、電源線３、器具内電線２８、仮吊紐引掛部２３、仮吊紐１５のそれぞれを床面側から直視できないように空間部３３内に収納する。
【００１８】
仮吊紐１５は、所定の十分に長い長さ寸法に形成されており、一端部にＳ字形状をなす金属製のフック部３４を有し、他端部が中反射板１４に結束されている。仮吊紐１５は、フック部３４が器具本体１１の仮吊紐引掛部２３に引っ掛けられることにより器具本体１１に連結される。仮吊紐１５は、この照明器具１０を天井施工面１に施工する際や蛍光ランプ１２を交換する際に、ルーバ１３および副反射板３２を有する中反射板１４が中反射板取付バネ２１から取り外されたときに、中反射板１４を器具本体１１の下方に離れた位置に吊り下げる機能を有する。
【００１９】
図３、図４に示すように、器具本体１１には、天板１６の下面に突起３５が形成されている。突起３５は、器具本体１１の天板１６の下面におけるランプソケット２７の近傍の中反射板１４が取り付けられる位置に対応する４か所に形成されている。突起３５は、ランプソケット２７の近傍の４か所に代えて、器具本体１１の天板１６における中反射板１４の折曲端縁部３１に対応した部分の複数か所に設けられても良い。突起３５は、図４中において、器具本体１１の長手方向であるＸ方向よりも器具本体１１の長手方向に直交する幅方向であるＹ方向が長い略半球形状に形成されて床面に向けて突出されている。突起３５は、器具本体１１の上下の断面方向および器具本体１１の長手方向の各々において中反射板１４の取付方向に対して増加する勾配を有する末広がりの凸面状の傾斜面３６を有する。突起３５は、略半球形状に代えて、三角錐や四角錐等、加工性を考慮して選択されるのが好ましい。
【００２０】
図５、図６に示すように、器具本体１１には、安定器１９からランプソケット２７までの間に器具内配線２８が天板１６の下面に沿って配策されている。突起３５は、器具本体１１の天板１６からの高さ寸法Ｌ１が、器具内配線２８の直径寸法Ｄ１よりも大きく設定されている。
【００２１】
中反射板１４の器具本体１１への取り付けにあたり、中反射板１４の係止孔２９が中反射板取付バネ２１に係止される際に、中反射板１４が中反射板取付バネ２１に蓄積されている弾性復元力により器具本体１１の天板１６に近づく方向に引き寄せられる。このとき、万が一に、器具内配線２８が突起３５に対してＸ方向（図４参照）に引き回されていて突起３５の頂部付近に乗り上げている場合、中反射板取付バネ２１に蓄積されている弾性復元力により中反射板１４の折曲端縁部３１が、突起３５の頂部付近に乗り上げている器具内配線２８を上方に向けて押圧する。これにより、上方に向けて押圧された器具内配線２８が、突起３５の傾斜面３６に誘導されながら突起３５の頂部付近から図５中の突起３５の左方の側部方向に引掛りなくスムースに移動される。
【００２２】
そして、器具内配線２８が突起３５の頂部付近から移動された後に中反射板１４の折曲端縁部３１が突起３５の頂部に当接されることにより、中反射板１４と器具本体１１の天板１６との距離が一定に設定される。このとき、突起３５の器具本体１１の天板１６からの高さ寸法Ｌ１が器具内配線２８の直径寸法Ｄ１よりも大きく設定されているために、突起３５の頂部に当接した中反射板１４の折曲端縁部３１が器具内配線２８に非接触に配置される。
【００２３】
図７、図８に示すように、中反射板１４が中反射板取付バネ２１に蓄積されている弾性復元力により器具本体１１の天板１６に近づく方向に引き寄せられる際に、万が一に、器具内配線２８が突起３５に対してＹ方向（図４参照）に引き回されていて突起３５の頂部付近に乗り上げている場合、中反射板取付バネ２１に蓄積されている弾性復元力により中反射板１４の折曲端縁部３１が、突起３５の頂部付近に乗り上げている器具内配線２８を上方に向けて押圧する。これにより、上方に向けて押圧された器具内配線２８が、突起３５の傾斜面３６に誘導されながら突起３５の頂部付近から図７中の突起３５の右方の側部方向に引掛りなくスムースに移動される。
【００２４】
そして、器具内配線２８が突起３５の頂部付近から移動された後に中反射板１４の折曲端縁部３１が突起３５の頂部に当接されることにより、中反射板１４と器具本体１１の天板１６との距離が一定に設定される。このとき、突起３５の器具本体１１の天板１６からの高さ寸法Ｌ１が器具内配線２８の直径寸法Ｄ１よりも大きく設定されているために、突起３５の頂部に当接した中反射板１４の折曲端縁部３１が器具内配線２８に非接触に配置される。
【００２５】
このように、中反射板１４は、折曲端縁部３１が突起３５のそれぞれの頂部に当接されることにより器具本体１１の天板１６に対して傾きなく器具本体１１に取り付けられる。このとき、突起３５の器具本体１１の天板１６からの高さ寸法Ｌ１が器具内配線２８の直径寸法Ｄ１よりも大きく設定されているために、突起３５の頂部に当接した中反射板１４の折曲端縁部３１が器具内配線２８に非接触に配置されることになる。
【００２６】
なお、中反射板１４は、その折曲端縁部３１が突起３５のそれぞれの頂部に当接されることにより器具内配線２８に非接触で器具本体１１に取り付けられた際に、中反射板１４の折曲端縁部３１と器具本体１１の天板１６との間の隙間から器具内配線２８が目視される。しかし、その隙間の開口方向が器具本体１１の天板１６の板面方向であるために、床からは目視することができない。従って、美観を損ねることにはならない。
【００２７】
従って、この一実施形態の照明器具１０においては、器具内配線２８が突起３５の頂部付近に乗り上げている場合、中反射板取付バネ２１に蓄積されている弾性復元力により中反射板１４の折曲端縁部３１が器具内配線２８を器具本体１１の天板１６に向けて押圧する。
これにより、この一実施形態の照明器具１０においては、中反射板１４により、器具内配線２８が突起３５から外れた位置に移動されて中反射板１４と器具本体１１との間に挟み込まれることがないので美観を向上できる。
【００２８】
また、この一実施形態の照明器具１０においては、突起３５が末広がりの凸面状の勾配を有する。
これにより、この一実施形態の照明器具１０においては、中反射板１４の折曲端縁部３１により押圧された器具内配線２８を勾配により引掛りなくスムースに移動できる。
【００２９】
そして、この一実施形態の照明器具１０においては、突起３５の器具本体１１の天板１６からの高さ寸法Ｌ１が器具内配線２８の直径寸法Ｄ１よりも大きい。
これにより、この一実施形態の照明器具１０においては、突起３５の頂部に当接した中反射板１４の折曲端縁部３１を器具内配線２８に非接触に配置できる。
【００３０】
なお、一実施形態で使用した器具本体１１、蛍光ランプ１２、ルーバ１３、仮吊紐１５等は例示したものに限定するものではなく適宜変更が可能である。
【符号の説明】
【００３１】
１０  照明器具
１１  器具本体
１２  蛍光ランプ（光源）
１３  ルーバ
１４  中反射板
２８  器具内配線（電線）
３５  突起
【図１】
0005545979.tif 000002
【図２】
0005545979.tif 000003
【図３】
0005545979.tif 000004
【図４】
0005545979.tif 000005
【図５】
0005545979.tif 000006
【図６】
0005545979.tif 000007
【図７】
0005545979.tif 000008
【図８】
0005545979.tif 000009
【図９】
0005545979.tif 000010